(57)【要約】【課題】紫外線や熱などによる商品の劣化や消費電力や設置工数の増大を招くことなく、棚面の奥部まで十分な照度となるような棚照明用として最適な照度パターンが実現できる棚照明装置、およびこれを用いた照明装置付き棚を提供する。【解決手段】複数の発光ダイオード３２を少なくとも１列のライン状に配置したアレイ状光源と、アレイ状光源の光出射側に複数の発光ダイオード３２それぞれに対応して設けられ、棚面に向けて拡開した曲面形状を有する第１反射部４１と、第１反射部４１のさらに光出射側で、発光ダイオード３２の並び方向に対して平行に、発光ダイオード３２からの光を光出射側に向けて反射する平板状の反射面を有する第２反射部４２と、を備え、第２反射部４２を、発光ダイオード３２を中心とする棚面の手前側と奥側のうち手前側のみに配置した。【選択図】図７
2008004296.tif 000002
【特許請求の範囲】
【請求項１】
被照明物の搭載される棚面の照明用として、前記棚面直上の天井面における前記棚面奥側とは反対の手前側に設置される棚照明装置であって、
複数の発光ダイオードを少なくとも１列のライン状に配置したアレイ状光源と、
前記アレイ状光源の光出射側に前記複数の発光ダイオードそれぞれに対応して設けられ、前記棚面に向けて拡開した曲面形状を有する第１反射部と、
前記第１反射部のさらに光出射側で、前記発光ダイオードの並び方向に対して平行に、前記発光ダイオードからの光を光出射側に向けて反射する平板状の反射面を有する第２反射部と、を備え、
前記第２反射部が、前記発光ダイオードを中心とする前記棚面の手前側と奥側のうち手前側のみに配置されたことを特徴とする棚照明装置。
【請求項２】
前記第１反射部は、放物面からなる反射面を含むことを特徴とする請求項１記載の棚照明装置。
【請求項３】
前記第２反射部が、前記発光ダイオードの光軸に対して１３度〜１８度の範囲で第１反射部から端部に向けて広がる傾斜角度を有することを特徴とする請求項１又は請求項２記載の棚照明装置。
【請求項４】
前記アレイ状光源の各発光ダイオードが複数列にわたって配列され、各発光ダイオードの列毎に、発光ダイオードの配置間隔を半周期分ずらすことで、千鳥状に配置されたことを特徴とする請求項１〜請求項３のいずれか１項記載の棚照明装置。
【請求項５】
前記第１反射部、前記第２反射部の少なくともいずれかの反射面に梨地加工が施されていることを特徴とする請求項１〜請求項４のいずれか１項記載の棚照明装置。
【請求項６】
請求項１〜請求項５のいずれか１項記載の棚照明装置と、
前記棚照明装置が配置される棚天井部と、
前記棚照明装置の直下に配置される棚部と、
を備えたことを特徴とする照明装置付き棚。
【発明の詳細な説明】
【技術分野】
【０００１】
本発明は、陳列棚などへの照明を行う棚照明装置、およびこれを用いた照明装置付き棚に関する。
【背景技術】
【０００２】
商店、専門店などの各種商品を飾る陳列ケースなどには、商品を照明して陳列させるため、陳列棚の天井面にライン状、若しくは点状に光源を設置した棚照明装置が各種開発され使用されている。従来、この種の照明装置では、白熱灯や蛍光灯などが主に使用されているが、これらは消費電力が大きく、紫外線などの有害な波長の光の出射、光源から離れた場所での照度低下、光源近くにおける温度上昇などの点で問題がある。
【０００３】
本願発明者は、省電力で高輝度なＬＥＤを用いた照明装置（特許文献1参照）を提案したが、このような照明装置を陳列棚に設置することもできる。即ち、基板上に直列配置したＬＥＤと、各ＬＥＤの周囲を取り囲むように取り付けた反射鏡とを備えた照明装置を、陳列棚の天井面の、奥部側とは反対の手前側に設置することができる。
【特許文献１】特許第３６９４３１０号公報
【発明の開示】
【発明が解決しようとする課題】
【０００４】
しかしながら、この種のＬＥＤ照明装置にあっては、発光素子自体が点発光であるので、広い範囲を均等な照度で照明することは難しい。上記のＬＥＤ照明装置にあっては、照射領域が反射鏡によって制限されているので、棚面（陳列面）の手前側で十分な照度で照明が行えても、奥部まで十分な照度で照明を施すことが難しく、棚面全面にわたって均等な照度で照明することが難しい。また、反射鏡の向きを変更して設置するなどの手段はあるが、設置工事にそのような微調整が必要となるようでは、設置コストの増大に繋がり、従前からの蛍光灯設置作業と比較してデメリットが大きくなる。そのため、棚照明装置としてＬＥＤ照明装置を利用する場合には、照明装置の数や設置工数を増大させなければ、棚照明用としての好適な照度パターンが得られにくいという問題があった。
【０００５】
本発明は、上記状況に鑑みてなされたもので、紫外線や熱などによる商品の劣化や消費電力や設置工数の増大を招くことなく、棚面の奥部まで十分な照度となるような棚照明用として最適な照度パターンが実現できる棚照明装置、およびこれを用いた照明装置付き棚を提供することを目的とする。
【課題を解決するための手段】
【０００６】
本発明に係る上記目的は下記構成により達成される。
（１）被照明物の搭載される棚面の照明用として、前記棚面直上の天井面における前記棚面奥側とは反対の手前側に設置される棚照明装置であって、
複数の発光ダイオードを少なくとも１列のライン状に配置したアレイ状光源と、
前記アレイ状光源の光出射側に前記複数の発光ダイオードそれぞれに対応して設けられ、前記棚面に向けて拡開した曲面形状を有する第１反射部と、
前記第１反射部のさらに光出射側で、前記発光ダイオードの並び方向に対して平行に、前記発光ダイオードからの光を光出射側に向けて反射する平板状の反射面を有する第２反射部と、を備え、
前記第２反射部が、前記発光ダイオードを中心とする前記棚面の手前側と奥側のうち手前側のみに配置されたことを特徴とする棚照明装置。
【０００７】
この棚照明装置によれば、第１反射部の光出射側に、第２反射部を手前側のみに設けることで、紫外線や熱などによる商品の劣化や消費電力や設置工数の増大を招くことなく、第２反射部の設置側とは反対側の、第２反射部を設けていない側から光源からの光を、棚面の奥部まで照射することができる。また、第２反射部からの反射光を棚面の奥部に向けて照射するので、棚面の手前側から奥部まで均一に、十分な照度の照明光を得ることができる。これにより、棚照明用として最適な照度パターンが得られるようになる。
【０００８】
（２）  前記第１反射部は、放物面からなる反射面を含むことを特徴とする（１）記載の棚照明装置。
【０００９】
この棚照明装置によれば、発光ダイオードからの光を集光して平行光化することができ、照度を向上することができる。
【００１０】
（３）  前記第２反射部が、前記発光ダイオードの光軸に対して１３度〜１８度の範囲で第１反射部から端部に向けて広がる傾斜角度を有することを特徴とする（１）又は（２）記載の棚照明装置
【００１１】
この棚照明装置によれば、第２反射部が所定の角度で傾斜配置されることで、棚面をより均一に照明することができる。
【００１２】
（４）  前記アレイ状光源の各発光ダイオードが複数列にわたって配列され、各発光ダイオードの列毎に、発光ダイオードの配置間隔を半周期分ずらすことで、千鳥状に配置されたことを特徴とする（１）〜（３）のいずれか１項記載の棚照明装置。
【００１３】
この棚照明装置によれば、発光ダイオードが千鳥配置されることで、スペース効率を高めた高密度な光源配置となり、単位面積当たりの照度を向上できる。
【００１４】
（５）  前記第１反射部、前記第２反射部の少なくともいずれかの反射面に梨地加工が施されていることを特徴とする請求項１〜請求項４のいずれか１項記載の棚照明装置。
【００１５】
この棚照明装置によれば、梨地加工が施されることで、反射光が拡散されて、より広い範囲にわたって均一な照度で照明することができる。
【００１６】
（６）  （１）〜（５）のいずれか１項記載の棚照明装置と、
前記棚照明装置が配置される棚天井部と、
前記棚照明装置の直下に配置される棚部と、
を備えたことを特徴とする照明装置付き棚。
【００１７】
この照明装置付き棚によれば、棚面を全体にわたって均一に照明することがき、被照明物を陳列位置に拘わらず、良好な照明効果を得ることができる。
【発明の効果】
【００１８】
本発明に係る棚照明装置によれば、複数の発光ダイオードをライン状に配置したアレイ状光源と、各発光ダイオードそれぞれに対応して設けられ、棚面に向けて拡開した曲面形状を有する第１反射部と、第１反射部のさらに光出射側で、発光ダイオードからの光を光出射側に向けて反射する平板状の反射面を有する第２反射部と、を備え、第２反射部が、発光ダイオードを中心とする棚面の手前側と奥側のうち手前側のみに配置されることにより、紫外線や熱などによる商品の劣化や消費電力の増加を招くことなく、棚面の奥部まで有効な高照度で、かつ、十分な光量での照明が簡単な設置作業で実現できる。即ち、棚照明用としての最適な照度パターンで照明することができる。
そして、この棚照明装置が棚天井部に配置され、棚照明装置の直下の棚部を照明する構成の照明装置付き棚によれば、棚面を全体にわたって均一に照明することがき、被照明物を陳列位置に拘わらず、良好な照明効果を得ることができる。
【発明を実施するための最良の形態】
【００１９】
以下、本発明に係る棚照明装置の好適な実施の形態について、添付図面を参照しながら詳細に説明する。
（第１の実施形態）
図１は、本発明の第１の実施形態に係る棚照明装置１を示す概略説明図である。この棚照明装置１は、各種商品を陳列する陳列棚１０の陳列面１３を照明するようになっており、主に駆動部２と、照明ユニット３とを備えている。
【００２０】
駆動部２は、照明ユニット３に発光用の駆動電力を供給するものであり、例えばフルレンジトランス等を用いることができる。駆動部２は商用電源に接続され、例えばＡＣ１１０Ｖ〜２２０Ｖ、５０Ｈｚ〜６０Ｈｚ等の電力を、ＤＣ１２Ｖ（ＤＣ６ＶやＤＣ２４Ｖ等の任意の電圧、或いは交流であってもよい）の駆動電圧に変換して照明ユニット３に供給する。
【００２１】
ここで、図２は棚照明装置の要部拡大斜視図で、図３は図１におけるＰ−Ｐ矢視図、図４は図３におけるＱ−Ｑ断面図である。
図２〜図４に示すように、照明ユニット３は、ライン状にＬＥＤを１列配列（これを、「アレイ状光源」とよぶ）してユニット化されており、陳列棚１０の庇１１の裏側の天井面１１Ａに設置している。本実施形態の照明ユニット３は、図４に図３におけるＱ−Ｑ断面図を示すように、背板３１と、光源である多数個のＬＥＤ３２を基台である配線基板（プリント基板）３３上に直線的に配設した発光部３４と、反射鏡部材４とを有している。背板３１は、反射鏡部材４との間に配線基板３３を挟み込んで反射鏡部材４に着脱自在に組み付けられる。
【００２２】
次に、図５（Ａ）の照明ユニット３の側面図、同図（Ｂ）の下面図、図６の照明ユニット３の分解斜視図を参照しながら、照明ユニット３について説明する。
照明ユニット３は、図５（Ａ）に示すように、反射鏡部材４に背板３１が組み付けられ、この状態で高さＨを有する。高さＨは、本実施形態においては概ね１５ｍｍ程度であり、白熱電球や蛍光灯等を光源として用いた場合と比較して大幅に薄型化されている。そのため、陳列棚１０の庇１１の天井面１１Ａに設置する場合であっても、照明ユニット３の存在は邪魔にならない。なお、照明ユニット３の高さＨは、低すぎると反射鏡部材４の後述する偏向特性が損なわれ、高すぎると設置スペースを要して本照明ユニット３の配置自由度が低下する。
【００２３】
反射鏡部材４は、図５（Ｂ）に示すように、長尺板状の取付基部３５（図６参照）と、この取付基部３５に一体に形成され中心位置に開口を有し光出射側が拡開した放物面からなる反射面（以下、「放物面鏡」と呼称する）４１Ａを複数個（本実施形態においては合計１６個）形成した第１反射部４１と、第１反射部４１よりもさらに光出射側に一体に設けられ、複数の放物面鏡４１Ａの配列方向と平行な方向に平板状の反射面（以下、「平面板鏡」とよぶ）４２Ａを形成した第２反射部４２とを有する。この反射鏡部材４は、射出成形により一体成形された樹脂成形品であって、少なくとも第１反射部４１と第２反射部４２の光反射面にはアルミ蒸着等によるコーティング加工が施されて鏡面を形成している。また、光反射面としては、これに限らず、他の常套手段が利用可能である。
【００２４】
背板３１は、図６に示すように、平坦な形状のベース部３１１と、ベース部３１１の長手方向の複数箇所（本実施形態においては５箇所）で、ベース部３１１の内側面に配線基板３３の背面側を支持するリブ３１２と、反射鏡部材４と係合するロック爪３１３とを有する。このロック爪３１３は、縦断面が“コ”の字状のフック形状に形成されている。
【００２５】
配線基板３３は、例えばガラスエポキシや紙フェノール等のプリント基板で構成されており、反射鏡部材４の長手方向に沿って、個々の放物面鏡４１Ａに対応して複数個（ここでは１６個）のＬＥＤ３２が実装されている。配線基板３３の一端からはリード線Ｌが引き出され、駆動部２（
1150781261875_0
参照）に接続されている。本実施形態の配線基板３３は、片面実装モジュールのために、障害発生時に問題点を発見し易く、メンテナンス性に優れた安全なモジュールとされている。
【００２６】
取付基部３５は、長手方向両端に照明ユニット３の固定用のブラケット３５１が形成されているとともに、長手方向居とは直交する両脇側に、背板３１のロック爪３１３が係合する係合部３５２を設けてある。従って、反射鏡部材４と背板３１とによって配線基板３３を挟み込み、ロック爪３１３のスナップアクションにより、背板３１と、配線基板３３と、反射鏡部材４の取付基部３５とが脱着自在に組み付けられる。
【００２７】
第１反射部４１は、反射面（以下、「放物面鏡」とよぶ）４１ＡがＬＥＤ３２を焦点位置とした放物面を含む曲面形状を有するものであり、この放物面の焦点位置にあるＬＥＤ３２からの出射光の多くは平行光（コリメートメート光）となって陳列面１３に向かう。なお、この第１反射部４１の放物面鏡４１Ａとしては、放物面形状に限定されるものではなく、例えば双曲線（ハイパボリック）等の曲線によって形成される凹面であってもよい。
【００２８】
第２反射部４２は、図３に図１におけるＰ−Ｐ矢視図を示すように、放物面鏡４１Ａの並び方向に直交する方向の片側（庇１１から垂下する下がり壁１２寄り）に、平面板鏡４２Ａが形成されている。つまり、ＬＥＤ３２を中心とする棚面の手前側と奥側のうち手前側のみに平板鏡４Ａが配置されている。
【００２９】
図４に示すように、背板３１、配線基板３３、取付基部３５（反射鏡部材４）を互いに組み付けると、前述したように、第１反射部４１の放物面鏡４１Ａの焦点位置にＬＥＤ３２の発光面が位置することになる。反射鏡部材４には、図示は省略するが、配線基板３３表面に当接する面が離散的に配置されており、ＬＥＤ３２の発光面が放物面鏡４１Ａの焦点位置となるように、この当接面の高さが調整されている。即ち、配線基板３３が反射鏡部材４に形成された基板収容位置に納まる際、背板３１のリブ３１２が、この当接面に配線基板３３を押圧するようにしてその高さが設定されている。
【００３０】
従って、背板３１、配線基板３３、取付基部３５（反射鏡部材４）を単に組み合わせるだけで、放物面鏡４１Ａの焦点位置とＬＥＤ３２の発光面の位置が簡単にして高精度に一致させることができる。この構成により、例えばねじ等の締結手段を用いることなく簡単に組み付けでき、部品点数を減らして、組立や調整のための工程を軽減でき、生産性の向上が図られる。
【００３１】
次に、上記構成の照明ユニット３に関する光学的特性について、図４及び図７を参照しながら説明する。
照明ユニット３の反射鏡部材４は、前述したように、第１反射部４１と第２反射部４２とが連続して形成されており、第１反射部４１の基端部には、ＬＥＤ３２の発光面を放物面鏡４１Ａの焦点位置に配置させるための開口４３が設けてある。第１反射部４１の放物面鏡４１Ａは、ＬＥＤ３２の発光面を焦点位置とする放物面からなる反射面を有しており、第１反射部４１で反射したＬＥＤ３２からの光は陳列棚１０の陳列面１３（図１参照）に向けて略平行（コリメート）化して進行する。これにより、放物面鏡４１Ａで反射した光は、図７に示すように、専ら陳列面１３のＬＥＤ３２直下、及びその周辺を照明する。
【００３２】
一方、第２反射部４２は、第１反射部４１の一部から連続して連なるように、かつ、棚面に向けて拡開する傾斜角度で平面板鏡４２Ａが設けられている。即ち、この第２反射部４２の平面板鏡４２Ａは、放物面鏡４１Ａの配列方向、即ちＬＥＤ３２の配列（Ｙ）方向に対して平行な方向に沿って配置された平板形状を有している。
【００３３】
特に、この第２反射部４２の平面板鏡４２Ａは、発光ダイオードを中心とする棚面の手前側と奥側のうち手前側のみに配置されており、つまりは、庇１１の手前側（図７における右側）端部の下がり壁１２寄りの方にのみに設置されている。これにより、陳列棚１０の陳列面１３（図１参照）から手前側となる外側へ漏光しないように、この方向へ向かう（カット領域ＣＴ）不要な光をカットするようになっている。
【００３４】
さらに、平面板鏡４２Ａは、図７に示すように、ＬＥＤ３２からの光のうち、第１反射部４１に入射されなかった光軸（中心）寄りの光の一部を受けて、陳列面１３の奥部（Ｘ）方向に向けて反射させるようになっている。これにより、平面板鏡４２Ａで反射した光がＬＥＤ３２の直下を基準として、奥側から手前側にかけて非対称になる照度パターンで、つまり陳列面１３の手前側（照明領域Ｐ１）よりも奥側（照明領域Ｐ２）に照明領域がシフトした分布で照明する。
【００３５】
このように、第１反射部４１は反射面領域Ｍ１を有し、第２反射部２７は反射面領域Ｍ１から連続して形成される反射面領域Ｍ２を有する。このため、第１反射部４１，第２反射部４２によって反射された光は、広汎な照明光となって陳列面１３上の被照明物に均等に照射される。しかも、この照明ユニット３は、庇１１の裏面（棚天井部）におけるの手前側（客側寄り）に設置してあるので、照明ユニット３の設置が容易であるとともに保守点検も行い易い。さらに、反射鏡部材４は、第２反射部４２の平面板鏡４２Ａから外側への光の漏れを防止している。特に、この平面板鏡４２Ａを下がり壁１２の近くに設置することで、陳列面１３から手前側（客側）への光の漏れが低減する。即ち、光が陳列面１３からはみ出して、外部へ向かう光成分を遮断しているので、例えば陳列している商品を取り出したりするときに、ＬＥＤ３２からの光が直接目へ差し込むことを確実に防止する。
【００３６】
なお、ＬＥＤ３２の光軸に対する平面板鏡４２Ａの開き角度θは、陳列面１３から庇１１までの高さとの関係にもよるが、さらに、以上説明してきた要件、つまり下記の要件を満たすように設定している。即ち、
（１）第１反射部４１によって照射されなかった陳列面１３の非照明領域を補償するように照射させるような照度分布を有すること。
（２）できるだけ陳列面１３の奥部にまで照明光が及ぶこと。
（３）陳列面１３から手前側（客側）にはみ出さない（眩光防止）角度に設定されること。そこで、本実施形態の場合は、平面板鏡４２Ａの傾斜角度がＬＥＤ３２の光軸に対して１３度〜１８度の範囲で設定されている。
【００３７】
本実施形態のＬＥＤ３２は、例えば１２０°等の広い出射角を有しているが、この出射角に応じて放物面鏡４１Ａの形状を最適に設定することで、出射した光のうち、第１反射部４１へ向かい、その第１反射部４１に捕らえられて平行光化に寄与する割合が高くなりすぎないように補正できる。これにより、陳列面１３の手前側から奥側まで範囲で照度分布の均一化効果が高められる。
一方、ＬＥＤ３２から出射した光のうち第２反射部４２へ向かう光成分が増加しても、第２反射部４２のＺ方向の長さや開き角度θ（図４参照）を最適に設定することで、陳列面１３から手前側（客側）にはみ出すことがなく、同時にＬＥＤ３２の直下から陳列面１３の奥側へ向かう光成分を増大させることができる。これにより、陳列面１３の奥側に陳列され商品が薄暗い照明光を受けるといった事態が回避できる。
【００３８】
次に、照明ユニット３の光到達距離について説明する。
図８は本実施形態における照明ユニット３の光源による照度と光源からの距離との関係を、反射面の有無やその種類α、β、γに応じて調べた概念的なグラフである。なお、各グラフα、β、γにおける限界照度δ以上となる領域が、棚照明に利用可能な有効照度を有する領域である。
【００３９】
棚照明装置１により陳列棚１０上の商品を照明する際に十分な照度を有する領域の広さは、陳列面１３の幅方向（Ｙ）ばかりでなく、奥方向（Ｘ）への照明光の到達距離が大きく関係する。
図８に示すように、陳列棚１０上の陳列品を十分な照度で照明できる限界範囲が図中δで示すラインよりも上側範囲であるとすると、反射鏡部材４を備えない場合（α）には光源直下から距離Ｌ１を超えると照度不足となる。一方、第１反射部４１の放物面鏡のみ備えた場合（β）には、距離Ｌ２では許容内の照度を有しているが、距離Ｌ２を超えると照度不足となる。他方、本発明のような第１反射部４１の放物面鏡４１Ａと第２反射部４２の平面板鏡４２Ａとを共に備えた場合（γ）には、距離Ｌ１、Ｌ２から大きく隔てた距離Ｌ３まで照度不足を生じない。このように、本発明に係る構成の場合、光到達距離を、放物面鏡４１Ａと平面板鏡４２Ａとの相乗効果により、飛躍的に伸ばすことができる。
【００４０】
以上説明したように、本実施形態に係る照明ユニット３及びこれを備えた棚照明装置１によれば、ＬＥＤ３２からの光束を第１反射部４１で反射して、陳列面１３に向けて略平行化する。一方、第１反射部４１に入射しなかったＬＥＤ３２からの光束のうち第２反射部４２に照射されずにそのまま通過した光は、陳列面１３の奥部に向けて発散状態で投光される。また、第２反射部４２に照射され反射された光は、陳列面の奥部に向けて透光される。これにより、商品を陳列するのに有効な照度を有する照明領域を、陳列面１３の奥部に向けて拡大させることができる。
【００４１】
しかも、照明ユニット３の棚天井部に配置する際は、反射鏡部材４の設置角度を意識して調整等行うことなく、平面状の照明ユニット裏面を棚天井部に単純に取り付けるという簡単な作業で済む。これにより、照明ユニット３の設置作業が簡略化されて、工数及びコストの低減が図られる。また、光源となるＬＥＤ３２自体が安価に供給されているため、棚照明装置１全体を低コストで作製することができる。さらに、光源の消費電力は、白熱電球や蛍光灯等と比較して大幅に低いため、ランニングコストも低減できる。具体的には、同一照度下において、ＬＥＤ３２は、消費電力がネオン灯の１／６であり、蛍光灯の１／８である。このことは、照明のエネルギ効率を向上させ、ＣＯ2排出削減等の環境問題に及ぼす影響を削減することに寄与することになる。また、ＬＥＤ３２が低電圧駆動のために、ショックハザード等の設置後のトラブルが起こり難い。さらに、ここで使用するＬＥＤは、出射光の大部分が概ね４５０ｎｍの青色から７００ｎｍの赤色までの範囲に限られた波長パターンであるので、３８０ｎｍ以下の紫外線や７６０ｎｍを越える赤外線を殆ど含まないために、被照明物を傷めることがない。
【００４２】
照明ユニット３は、ＬＥＤ３２の光出射側に第１，第２反射部４１，４２からなる反射鏡を設けているために、ＬＥＤ３２の背面側に設ける場合と比較して、照明ユニット３の厚みを薄く構成することができる。これは、ショーケース等の設置スペースの限られた陳列棚へ収納する際に特に有利となる。また、レンズ等により光路を偏向させる構成と比較して、光学系を簡単にでき、装置コストを低減できる。
【００４３】
なお、ＬＥＤ３２は、複数個を１ユニットとしたアレイ状として発光部３４を構成したが、図９に一設置例を示すように、商用電源から引き出したフラットケーブル５の一部に接続用コネクタ６を介在させることにより、複数個の照明ユニット３を容易に配置することができる。例えば、一つの棚面に３個の照明ユニット３を用い、さらに他の棚面にも照明ユニットを同様に設置する場合には、図示例の３つの照明ユニット３を１つの接続用コネクタ６から配線を引き出して設置し、他の棚面は、別の接続用コネクタから配線を引き出して設置する。つまり、棚面と他の棚面との間はフラットケーブル５で接続され、各棚面に対応して接続用コネクタが配置される。同じ棚の照明ユニット３同士は、図示例のように並列接続でもよいが、照明ユニット３同士をチェーン状に直接接続する直列接続とすることで、配線を簡略化できる。
【００４４】
また、反射鏡部材４は、第１反射部４１の放物面鏡４１Ａの反射面を、厳密な放物面とすることなく、例えば双曲線などの任意の曲線を基に形成される曲面であってもよい。いずれにせよ、放物面などに近似した曲面であれば良く、また、微細な平面鏡が組み合わさって全体として放物面状などに形成したものであってもよい。
【００４５】
ここで、本実施形態における照明ユニット３は、例えば図４に示す反射鏡部材４の各反射面において、多数の細かい凹凸を設けて梨地状に形成してもよい。反射面の少なくとも一部を梨地面とすることで、梨地加工を行わない場合と比較して、照度が均一となる範囲が広くなり、一台の照明ユニットによって、より広範囲にわたる均一照明を行うことが可能となる。
【００４６】
（第２実施形態）
次に、本発明に係る照明ユニットの第２実施形態について説明する。なお、本実施形態においては、第1の実施形態と同一部分には同一符号を付して重複する説明は省略するものとする。
図１０は本実施形態に係る照明ユニット７を取付けた陳列棚１０の要部を示す斜視図、図１１は陳列棚を下から見上げた状態を示す底面図、図１２は図１１のＲ−Ｒ断面図である。
本実施形態の照明ユニット７は、より高輝度で広範囲の棚照明を行うためのものであり、前述の第１実施形態に示した照明ユニット３において、複数個のＬＥＤ３２を直列に配置したアレイ状の発光部３４を、ＬＥＤ３２を複数列（本実施例では２列）平行に配置し、かつ、各発光ダイオードの列毎に、発光ダイオードの配置間隔を半周期分ずらすことで、千鳥状に配置している。照明ユニット７の各列におけるＬＥＤ３２の配置間隔は、隣接する各列の発光部３４からの照射光の強度を重ね合わせた全照度分布ができるだけ均一となるように設定される。
【００４７】
この構成によれば、照明ユニット７がＬＥＤ３２を複数列状にアレイ化することで、照度が均一となる範囲を拡大させることができ、照明する陳列面１３の奥部までさらに高輝度で照明することができる。
【００４８】
上記したように、反射鏡部材の構造は適宜変更可能であり、その他にも、次のような変更があってもよい。即ち、ＬＥＤ３２の配列は、直線状の１列及び２列であったが、２列以上の多数列の場合には千鳥配置以外の適宜の規則的配置（正方配列など）、あるいはランダムな配置の構成としてもよい。また、前述したように、第２反射部４２の平面板鏡４２ＡのＬＥＤ３２の光軸に対する開き角度θ（図４のθと同様）を変更することで、ＬＥＤ３２からの出射光の偏向状態を調整することができる。
【実施例１】
【００４９】
次に、本発明に係る第１、第２の実施形態の棚照明装置に対して、陳列面１３を照明した際の照度分布を調べる照度実験を実施した結果を説明する。ここでの照度測定に際しては、暗室内にて合計５つのモデルの照明ユニットを載置し、予め設定した各測定位置の照度を照度測定装置（横河インスツルメンツ株式会社製 型名５１０ ０２）により測定した。
【００５０】
照度測定の結果、１列構成のアレイ状光源の発光部３４を有する第１の実施形態の棚照明装置の場合には、図１３（Ａ）に各測定位置ＭＰ１〜ＭＰ９で下記数値で示す照度が得られた。
ＭＰ１：１１０[lx]  ＭＰ２：  １３５[lx]  ＭＰ３：１１２[lx]
ＭＰ４：７０３[lx]  ＭＰ５：１０２０[lx]  ＭＰ６：７０５[lx]
ＭＰ７：３６５[lx]  ＭＰ８：  ４３５[lx]  ＭＰ９：３６９[lx]
ただし、ＭＰ１〜ＭＰ３は陳列面の奥側、ＭＰ４〜ＭＰ６は陳列面手前側で光源直下、ＭＰ７〜ＭＰ９は陳列面手前側の照度である。なお、棚の庇１１となる上板の幅は３１０ｍｍ、陳列面１３となる下板の幅は３９０ｍｍ、上板の裏面に配置される照明ユニットの光源から下板までの高さは３００ｍｍとしている。これにより、最奥部でも最低１１０[lx]を上回る棚照明用として十分な照度が確保されることが確認された。
【００５１】
一方、２列構成のアレイ状の発光部３４を有する第２の実施形態の棚照明装置の場合には、図１３（Ｂ）に各測定位置ＭＰ１〜ＭＰ９で下記数値で示す照度が得られた。
ＭＰ１：  ５００[lx]  ＭＰ２：  ５００[lx]  ＭＰ３：  ５００[lx]
ＭＰ４：１５００[lx]  ＭＰ５：１５００[lx]  ＭＰ６：１５００[lx]
ＭＰ７：２０５０[lx]  ＭＰ８：２２６０[lx]  ＭＰ９：２０５０[lx]
ただし、ＭＰ１〜ＭＰ３は陳列面の奥側、ＭＰ４〜ＭＰ６は陳列面中央、ＭＰ７〜ＭＰ９は陳列面手前側の光源直下の照度である。なお、上板の幅、下板の幅、照明ユニットの高さは（Ａ）の場合と同じである。この場合には、最奥部でも５００[lx]が得られ、ＬＥＤの並び方向に対しても照度のバラツキが少なくなり、より照度の高い均一な照明光が得られた。
【実施例２】
【００５２】
次に、第１の実施形態における陳列棚１０の天井面１１Ａと同様の設置面に、それぞれ、図１４（Ａ）〜（Ｅ）に示す構成を有する本発明の実施例ａ，ｂ、および比較例ｃ，ｄ，ｅを設置し、５００ｍｍ下方の陳列面１３を照明したときの照度分布を調べる比較実験を行った。
【００５３】
実施例ａ，ｂは、第１の実施形態の棚照明装置１と同様、片側だけに第１反射部４１から延長される第２反射部４２が形成されたものを用い、比較例ｃ，ｄ，ｅは、第１の実施形態と同様の構成の棚照明装置１において、第２反射部４２を両側に一対形成したものを用いた。
【００５４】
各実施例ａ，ｂおよび比較例ｃ〜ｅにおける反射鏡部材の高さは、次の通りである。
実施例ａ  ｈ１＝７．９ｍｍ、ｈ２＝６．７５ｍｍ、θａ＝１８度
実施例ｂ  ｈ１＝７．９ｍｍ、ｈ２＝６．０  ｍｍ、θｂ＝１３度
比較例ｃ  ｈ１＝７．９ｍｍ、ｈ２＝６．７５ｍｍ、ｈ３＝１４．６５ｍｍ
比較例ｄ  ｈ１＝６．３ｍｍ、ｈ２＝６．０  ｍｍ、ｈ３＝１２．３  ｍｍ
比較例ｅ  ｈ１＝５．５ｍｍ、ｈ２＝６．０  ｍｍ、ｈ３＝１１．５  ｍｍ
いずれの構成も反射面には梨地加工が施されている。
【００５５】
実施例ａは、反射鏡部材４の高さが１４．６５ｍｍであって、実施例ｂは反射鏡部材４の高さがおよそ５％カットされた１３．９ｍｍとなっている。
一方、比較例ｃは、反射鏡部材４の高さが実施例ａと同じで、比較例ｄは、反射鏡部材４の高さが比較例ｃに比べて２０％カットされている。さらに、比較例ｅは、反射鏡部材４の高さが比較例ｃに比べて３０％カットされている。
【００５６】
また、ここでの照度測定に際しても、暗室内にて上記５モデルの照明ユニットを載置し、予め設定した各測定位置の照度を照度測定装置（横河インスツルメンツ株式会社製 型名５１０ ０２）により測定した。
このようにして照度測定を行ったときの結果を、下表に示す。
【００５７】
【表１】
2008004296.tif 000003
【００５８】
上記のように、実施例ａにおいては、光源直下からＸ方向に最も離れた奥部（距離４００ｍｍの位置）でも２３[lx]の照度が確保され、実施例ｂにおいても、光源直下からＸ方向に最も離れた奥部（距離４００ｍｍの位置）でも１９．５[lx]の照度が得られた。
【００５９】
一方、比較例ｃでは、光源直下からＸ方向に３００ｍｍ離れた位置で３６[lx]の照度が得られたことが確認されたが、４００ｍｍ離れた位置では２[lx]まで急激に減衰することが判明した。これにより、最奥部（４００ｍｍ）においては照度不足となる。
【００６０】
また、比較例ｄでは、比較例ｃとほぼ同様の結果が得られた。即ち、光源直下からＸ方向に３００ｍｍ離れた位置で３５[lx]の照度が得られたが、４００ｍｍ離間した位置では４[lx]まで急激に減衰することが判明した。つまり、比較例ｃと同様、最奥部（４００ｍｍ）においては良好な棚照明が行えないことになる。
【００６１】
さらに、比較例ｅでは、比較例ｃ、ｄに比べると照度分布が向上していることが確認された。即ち、光源直下からＸ方向に３００ｍｍ離れた位置で３６[lx]の照度が得られ、４００ｍｍ離れた位置では１２[lx]まで減衰することが判明した。しかしながら、実施例ａ，ｂに比べると、最奥部（４００ｍｍ）における照度が低く、十分な照度で棚照明を行うことができない。
【図面の簡単な説明】
【００６２】
【図１】本発明の第１の実施形態に係る棚照明装置１を示す概略説明図である。
【図２】棚照明装置の要部拡大斜視図である。
【図３】図１におけるＰ−Ｐ矢視図で棚照明装置を設置した陳列棚の天井面を示す底面図である。
【図４】図３におけるＱ−Ｑ断面図である。
【図５】（Ａ）は照明ユニットの側面図、（Ｂ）は底面図である。
【図６】照明ユニットの分解斜視図である。
【図７】照明ユニットでの光源光の光路を示す説明図ある。
【図８】照明ユニットの光源による照度と光源からの距離との関係を、反射面の有無やその種類α、β、γに応じて調べた概念的なグラフである。
【図９】照明ユニットを多数用いてライン状に配設するときの一構成例を示す説明図である。
【図１０】照明ユニットを取付けた陳列棚の要部を示す斜視図である。
【図１１】図１０の陳列棚を下から見上げた状態を示す底面図である。
【図１２】図１１のＲ−Ｒ断面図である。
【図１３】実施例１における照度測定位置を１列のアレイ状光源の場合（Ａ）、２列のアレイ状光源の場合（Ｂ）で示す図である。
【図１４】（Ａ）は実施例ａの照明ユニット、（Ｂ）は実施例ｂの照明ユニット、（Ｃ）は比較例ｃの照明ユニット、（Ｄ）は比較例ｄの照明ユニット、（Ｅ）は比較例ｅの照明ユニットの構成を示す説明図である。
【符号の説明】
【００６３】
１  棚照明装置
２  駆動部
３，７  照明ユニット
４，８  反射鏡部材
３１  背板
３２  ＬＥＤ（光源）
３３  配線基板（プリント基板）
３４  発光部
４１  第１反射部
４１Ａ  放物面鏡（第１反射部）
４２  第２反射部
４２Ａ  平面板鏡（第２反射部）
４３  開口
１０  陳列棚
１１  庇
１１Ａ  天井面
１３  陳列面（棚面）
Ｐ１，Ｐ２  照明領域
ＣＴ  カット領域
【図１】
2008004296.tif 000004
【図２】
2008004296.tif 000005
【図３】
2008004296.tif 000006
【図４】
2008004296.tif 000007
【図５】
2008004296.tif 000008
【図６】
2008004296.tif 000009
【図７】
2008004296.tif 000010
【図８】
2008004296.tif 000011
【図９】
2008004296.tif 000012
【図１０】
2008004296.tif 000013
【図１１】
2008004296.tif 000014
【図１２】
2008004296.tif 000015
【図１３】
2008004296.tif 000016
【図１４】
2008004296.tif 000017
【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
被照明物の搭載される棚面の照明用として、前記棚面直上の天井面に設置される棚照明装置であって、
複数の発光ダイオードを少なくとも１列のライン状に配置したアレイ状光源と、
前記アレイ状光源の光出射側に前記複数の発光ダイオードそれぞれに対応して設けられ、前記棚面に向けて拡開した曲面形状を有する第１反射部と、
前記第１反射部のさらに光出射側に一体に、前記発光ダイオードからの光を光出射側に向けて反射する平板状の反射面を、前記発光ダイオードの列方向に直交する方向の片側のみに前記発光ダイオードの列方向に沿って形成した第２反射部と、
を備えたことを特徴とする棚下照明装置。
【請求項２】
前記第１反射部は、放物面からなる反射面を含むことを特徴とする請求項１記載の棚照明装置。
【請求項３】
前記第２反射部が、前記発光ダイオードの光軸に対して１３度〜１８度の範囲で第１反射部から端部に向けて広がる傾斜角度を有することを特徴とする請求項１又は請求項２記載の棚照明装置。
【請求項４】
前記アレイ状光源の各発光ダイオードが複数列にわたって配列され、各発光ダイオードの列毎に、発光ダイオードの配置間隔を半周期分ずらすことで、千鳥状に配置されたことを特徴とする請求項１〜請求項３のいずれか１項記載の棚照明装置。
【請求項５】
前記第１反射部、前記第２反射部の少なくともいずれかの反射面に梨地加工が施されていることを特徴とする請求項１〜請求項４のいずれか１項記載の棚照明装置。
【請求項６】
請求項１〜請求項５のいずれか１項記載の棚照明装置と、
前記棚照明装置が配置される棚天井部と、
前記棚照明装置の直下に配置される棚部と、
を備えたことを特徴とする照明装置付き棚。
【手続補正２】
【補正対象書類名】明細書
【補正対象項目名】０００６
【補正方法】変更
【補正の内容】
【０００６】
本発明に係る上記目的は下記構成により達成される。（１）被照明物の搭載される棚面の照明用として、前記棚面直上の天井面に設置される棚照明装置であって、
複数の発光ダイオードを少なくとも１列のライン状に配置したアレイ状光源と、
前記アレイ状光源の光出射側に前記複数の発光ダイオードそれぞれに対応して設けられ、前記棚面に向けて拡開した曲面形状を有する第１反射部と、
前記第１反射部のさらに光出射側に一体に、前記発光ダイオードからの光を光出射側に向けて反射する平板状の反射面を、前記発光ダイオードの列方向に直交する方向の片側のみに前記発光ダイオードの列方向に沿って形成した第２反射部と、
を備えたことを特徴とする棚下照明装置。
【手続補正３】
【補正対象書類名】明細書
【補正対象項目名】０００７
【補正方法】変更
【補正の内容】
【０００７】
この棚照明装置によれば、第１反射部の光出射側に一体に、発光ダイオードからの光を光出射側に向けて反射する平板状の反射面を、発光ダイオードの列方向に直交する方向の片側のみに発光ダイオードの列方向に沿って形成した第２反射部を備えることで、紫外線や熱などによる商品の劣化や消費電力や設置工数の増大を招くことなく、第２反射部の設置側とは反対側の、第２反射部を設けていない側から光源からの光を、棚面の奥部まで照射することができる。また、第２反射部からの反射光を棚面の奥部に向けて照射するので、棚面の手前側から奥部まで均一に、十分な照度の照明光を得ることができる。これにより、棚照明用として最適な照度パターンが得られるようになる。
【手続補正４】
【補正対象書類名】明細書
【補正対象項目名】００１８
【補正方法】変更
【補正の内容】
【００１８】
本発明に係る棚照明装置によれば、複数の発光ダイオードを少なくとも１列のライン状に配置したアレイ状光源と、前記アレイ状光源の光出射側に前記複数の発光ダイオードそれぞれに対応して設けられ、前記棚面に向けて拡開した曲面形状を有する第１反射部と、前記第１反射部のさらに光出射側に一体に、前記発光ダイオードからの光を光出射側に向けて反射する平板状の反射面を、前記発光ダイオードの列方向に直交する方向の片側のみに前記発光ダイオードの列方向に沿って形成した第２反射部と、を備えることにより、紫外線や熱などによる商品の劣化や消費電力の増加を招くことなく、棚面の奥部まで有効な高照度で、かつ、十分な光量での照明が簡単な設置作業で実現できる。即ち、棚照明用としての最適な照度パターンで照明することができる。
そして、この棚照明装置が棚天井部に配置され、棚照明装置の直下の棚部を照明する構成の照明装置付き棚によれば、棚面を全体にわたって均一に照明することがき、被照明物を陳列位置に拘わらず、良好な照明効果を得ることができる。